(57)【要約】【課題】実際に高地に行ったのと同じ大気下での使用が可能で、運搬、組立てが容易で、且つ安全な気圧調整モジュールを提供する。【解決手段】気圧調整モジュール１は強化繊維プラスチックによって形成されるパネル状の複数枚のモジュール要素３を組み立てることによって構成されており、当該モジュール要素３のすべてあるいはその一部の内壁面には消音機能を有するように配設された複数本の補強リブ１５が設けられている。またモジュール要素３は前面パネル７と、後面パネル９と、二枚の側天面パネル１１と、床面パネル１３とによって構成されており、組立後の気圧調整モジュール１の横断面形状は縦長の楕円形状ないし長円形状に設定されている。【選択図】        図１
2007044194.tif 000002
【特許請求の範囲】
【請求項１】
モジュール内の気圧を低圧雰囲気あるいは高圧雰囲気に調整し得る運動機能の向上ないし回復等を目的とするトレーニング用の気圧調整モジュールにおいて、該気圧調整モジュールは強化繊維プラスチックによって形成されるパネル状の複数枚のモジュール要素を組み立てることによって構成されていることを特徴とする気圧調整モジュール。
【請求項２】
請求項１に記載した気圧調整モジュールにおいて、モジュール要素のすべてあるいはその一部の内壁面には複数本の補強リブが設けられていることを特徴とする気圧調整モジュール。
【請求項３】
請求庫１に記載した気圧調整モジュールにおいて、モジュール要素のすべてあるいはその一部は、複数の殻材と前記複数の殻材の間に備えられる介装材から成る多層構造となっていることを特徴とする気圧調整モジュール。
【請求項４】
請求項１〜３のいずれか１項に記載した気圧調整モジュールにおいて、前記モジュール要素は前面を閉塞し、出入口となるドアが設けられている前面パネルと、後面を閉塞する後面パネルと、側面及び天面を閉塞する２分割式の二枚の側天面パネルと、床面を閉塞する床面パネルによって構成されていることを特徴とする気圧調整モジュール。
【請求項５】
請求項１〜４のいずれか１項に記載した気圧調整モジュールにおいて、組立後の気圧調整モジュールの横断面形状は縦長の楕円形状ないし長円形状に設定されていることを特徴とする気圧調整モジュール。
【請求項６】
請求項１〜５のいずれか１項に記載した気圧調整モジュールにおいて、モジュール内の気圧を低圧雰囲気あるいは高圧雰囲気に調整する気圧調整手段としてモジュール外に設けられる真空ポンプあるいは高圧ポンプを使用したことを特徴とする気圧調整モジュール。
【請求項７】
請求項４〜６のいずれか１項に記載した気圧調整モジュールにおいて、前記前面パネルに設けられるドアの回動ヒンジの近傍には、常時ドアを拡開方向に付勢する付勢手段が設けられていることを特徴とする気圧調整モジュール。
【請求項８】
請求項１〜７のいずれか１項に記載した気圧調整モジュールにおいて、前記モジュール要素の少なくともその一つには、モジュール内の気圧を大気圧に戻すための安全ノブがモジュールの内外から手動で操作し得る状態で設けられていることを特徴とする気圧調整モジュール。
【請求項９】
請求項６〜８のいずれかに記載した気圧調整モジュールにおいて、気圧調整手段が停止した後、所定時間経過すると該気圧調整モジュール内の圧力を大気圧に戻す通気孔を備えたことを特徴とする気圧調整モジュール。
【発明の詳細な説明】
【技術分野】
【０００１】
本発明は、例えば運動選手が運動機能や心肺機能の向上を目的として行っている高地でのトレーニングや低酸素訓練装置を使用してのトレーニングと同様の効果をコンパクトで簡単な構成のモジュールタイプの装置を使用して得ることのできる気圧調整モジュールに関するものである。
【背景技術】
【０００２】
従来から運動選手が運動機能や心肺機能の向上を図る場合、気圧の低い、低酸素の高地に出向いてトレーニングすることが行われている。
また最近では下記の特許文献１に開示されているような低酸素訓練装置を使用して高地に行ったのと同様の低酸素雰囲気を人為的に形成し、該低酸素雰囲気中でトレーニングすることでわざわざ高地に出向かなくても高地に行ったのと同様の効果を得ることのできるようにした試みが実践されている。
【０００３】
しかし、低酸素訓練装置はガス分離膜を使用して空気中の酸素濃度を低くするもので、実際高地でトレーニングする場合とガス組成が相違してしまい、実際には存在しない不自然な雰囲気下でのトレーニングになってしまう。またガス分離膜は定期的な手間のかかるメンテナンスが必要である。
【０００４】
【特許文献１】特開２０００−７０６５４号公報
【発明の開示】
【発明が解決しようとする課題】
【０００５】
本発明は、上記の背景技術及び背景技術が抱えていた問題点の存在を踏まえてなされたものであって、実際に高地と同じガス組成雰囲気下での使用が可能で、安全な気圧調整モジュールを提供することを課題とするものである。
【課題を解決するための手段】
【０００６】
上記課題を解決するために請求項１に記載した発明は、モジュール内の気圧を低圧雰囲気あるいは高圧雰囲気に調整し得る運動機能の向上ないし回復等を目的とするトレーニング用の気圧調整モジュールにおいて、該気圧調整モジュールは強化繊維プラスチックによって形成されるパネル状の複数枚のモジュール要素を組み立てることによって構成されていることを特徴とする気圧調整モジュール。
【０００７】
請求項２の発明は、請求項１に記載した気圧調整モジュールにおいて、モジュール要素のすべてあるいはその一部の内壁面には複数本の補強リブが設けられていることを特徴とする気圧調整モジュールである。
【０００８】
請求項３の発明は、請求庫１に記載した気圧調整モジュールにおいて、モジュール要素のすべてあるいはその一部は、複数の殻材と前記複数の殻材の間に備えられる介装材から成る多層構造となっていることを特徴とする気圧調整モジュールである。
【０００９】
請求項４は、請求項１〜３のいずれか１項に記載した気圧調整モジュールにおいて、前記モジュール要素は前面を閉塞し、出入口となるドアが設けられている前面パネルと、後面を閉塞する後面パネルと、側面及び天面を閉塞する２分割式の二枚の側天面パネルと、床面を閉塞する床面パネルによって構成されていることを特徴とする気圧調整モジュールである。
【００１０】
請求項５の発明は、請求項１〜４のいずれか１項に記載した気圧調整モジュールにおいて、組立後の気圧調整モジュールの横断面形状は縦長の楕円形状ないし長円形状に設定されていることを特徴とする気圧調整モジュールである。
【００１１】
請求項６の発明は、請求項１〜５のいずれか１項に記載した気圧調整モジュールにおいて、モジュール内の気圧を低圧雰囲気あるいは高圧雰囲気に調整する気圧調整手段としてモジュール外に設けられる真空ポンプあるいは高圧ポンプを使用したことを特徴とする気圧調整モジュールである。
【００１２】
請求項７の発明は、請求項４〜６のいずれか１項に記載した気圧調整モジュールにおいて、前記前面パネルに設けられるドアの回動ヒンジの近傍には、常時ドアを拡開方向に付勢する付勢手段が設けられていることを特徴とする気圧調整モジュールである。
【００１３】
請求項８の発明は、請求項１〜７のいずれか１項に記載した気圧調整モジュールにおいて、前記モジュール要素の少なくともその一つには、モジュール内の気圧を大気圧に戻すための安全ノブがモジュールの内外から手動で操作し得る状態で設けられていることを特徴とする気圧調整モジュールである。
【００１４】
請求項９の発明は、請求項６〜８のいずれかに記載した気圧調整モジュールにおいて、気圧調整手段が停止した後、所定時間経過すると該気圧調整モジュール内の圧力を大気圧に戻す通気孔を備えたことを特徴とする気圧調整モジュールである。
【００１５】
本発明の気圧調整モジュールによれば、強化繊維プラスチックの使用と補強リブや多層構造の採用によってモジュールの軽量化とモジュールの構造強化とが図られる。また補強リブを、消音機能を有するように配設することによって、モジュール内に吹き込まれるエア音やモジュール外に吸引されるエア音のレベルが低くなり、モジュール内の居住性が高く、快適である。
また複数枚のモジュール要素を組み立てる組立式の気圧調整モジュールとすることにより、分解して持ち運んだり、収納しておくことが可能になり、可搬性、収納性が向上する。
【００１６】
さらに気圧調整モジュールの横断面形状を縦長の楕円形状ないし長円形状に設定した場合には、限られた設置スペースを利用して最大限にモジュール内の容積を大きくとることができる。また楕円形状ないし長円形状はモジュールの構造強度を高める役割も担っている。
また気圧調整手段としてモジュール外に設けられる真空ポンプや高圧ポンプを利用することによってモジュール内のガス組成を何ら変更することなくモジュール内の気圧を低圧雰囲気ないし高圧雰囲気にすることができる。
また回動ヒンジ近傍に設けられる付勢手段と、安全ノブの採用により、緊急時の安全対策も図られている。
【発明を実施するための最良の形態】
【００１７】
以下、下記に示す実施の形態１を例に採って、本願発明に係る気圧調整モジュール１について図１〜図１１の図面に基づいて具体的に説明する。
本願発明の気圧調整モジュール１はモジュール内の気圧を低圧雰囲気あるいは高圧雰囲気に調整でき、使用者の運動機能の向上ないし、怪我等の回復を目的として使用される。
下記の実施の形態１ではモジュール内の気圧を低圧雰囲気下で使用する場合を例に採って説明している。
【００１８】
気圧調整モジュール１は図示のように横断面形状が縦長の楕円形状ないし長円形状の密閉タンク様の部材である。そして外形寸法は一例として幅寸法Ｗが２１００ｍｍ、奥行寸法Ｄが２７６０ｍｍ、高さ寸法Ｈが２４７０ｍｍであり、この種の装置としては極めてコンパクトで比較的小さな設置スペースでも使用できるようになっている。
【００１９】
気圧調整モジュール１は図２に示すようにグラスファイバー等の強化繊維を含有した強化繊維プラスチックによって形成される５枚のモジュール要素３を組み立てることによって構成されている。モジュール要素３は前面を閉塞し、出入口となるドア５が設けられている前面パネル７と、後面を閉塞する後面パネル９と、側面及び天面を閉塞する２分割式の二枚の側天面パネル１１と、床面を閉塞する床面パネル１３によって構成されている。
【００２０】
前面パネル７及び後面パネル９の内壁面には一例として同心円状に３本、放射状に７本、幅方向に１本の計１１本の補強リブ１５が設けられている。また側天面パネル１１の内壁面には一例として奥行方向に平行に延びる１２本の補強リブ１５が設けられている。さらに床面パネル１３の下面には、その横手方向へ延びる計１０本の補強リブが設けられている。
これらの補強リブ１５は一例として長尺な蒲鉾様の形状をしており、消音機能を有するように適宜の間隔を空けて配設されている。
【００２１】
前面パネル７は中央が外方に突出するように球面状に湾曲した正面視縦長楕円形状の部材である。また前面パネル７は、その外側と内側に平板状の殻部材１７を有し、こられ外側と内側の殻部材１７の間にアクリル系の発泡材１８を介在させて形成され、更に上記補強リブ１５と一体の補強枠１９を内側の殻部材１７に貼り付けることによって構成されている。
このような殻部材１７と補強枠１９から成る構造は後述する後面パネル９及び二枚の側天面パネル１１においても採用されている。
【００２２】
そして前面パネル７の中央部には使用者の出入口となる正面視長円形状をした前面開口２１が形成されていて、この前面開口２１を閉塞するように回動開閉式のドア５が設けられている。ドア５は前面開口２１より一回り大きな正面視長円形状をしており、ドア５の一方の側縁には回動ヒンジ２３が一例として２個、前面パネル７との間に設けられている。
【００２３】
回動ヒンジ２３の近傍には一例として板バネ２７によって構成される付勢手段２５が設けられている。この付勢手段２５は常時ドア５を拡開方向に付勢するように取り付けられている。従って、モジュール内が大気圧に戻ったときに、自動的にドア５が開く。よって、ドア５が締まったままで、モジュール内の者が窒息する危険を回避することができる。
この他、ドア５の外周縁裏側には気密性を保持するためのシールパッキン２９が設けられ、ドア５の上部にはモジュール内の様子を外部から視認するための窓部３１が設けられ、ドア５の表側自由端寄りの中央付近の高さ位置にはドア５を開閉する際の手掛かりとなるハンドル３３が設けられている。
【００２４】
前面パネル７にはドア５を挟んで向って一例として左側に運転ランプ３５、向って右側に安全ノブ３７、ドア５の上方に緊急警告灯３９、該緊急警告灯３９の更に上方にレギュレータ４０がそれぞれ設けられている。
運転ランプ３５は気圧調整モジュール１が運転状態にある時に点灯するランプで一例として緑色の光を発するランプによって構成されている。
【００２５】
安全ノブ３７は、モジュール内の気圧を緊急に大気圧に戻したい場合に使用され、モジュールの内外から手動で操作し得るように前面パネルの表裏両面に蝶ボルトの頭部様の形状をした摘み部が突出状態で設けられている。
そして安全ノブ３７を所定の方向に回して緩めることによって前面パネル７に設けられている図示しない空気穴が開放状態になってモジュール内の気圧を大気圧に戻し、使用時には安全ノブ３７を反対方向に回して締め、上記空気穴を閉塞状態にした後にモジュール内の圧力を設定する。
【００２６】
緊急警告灯３９はモジュール内の気圧に異常が生じたような場合に、モジュール外の人にその異常を例えば赤い光を発することによって告知する部材である。
またレギュレータ４０は、モジュール外の空気をモジュール内に取り込むための取り込み口４１に設けられる部材であり、モジュール内に取り込む空気の圧力及び流量を設定する。
【００２７】
レギュレータ４０は図１１に示すように円筒状の本体４３と、本体４３の外方端面側に設けられるフランジ部４５と、本体４３の内テーパ状に加工された内方端面４７に対して接近離反し得るように案内軸４９上を摺動する弁体５１と、弁体５１を閉塞方向に付勢する付勢手段５３とを備えている。
そして本体４３には案内軸４９の先端側に形成されている雄ネジ部と螺合する雌ネジ部５５と、複数の通気穴５７が設けられている。
【００２８】
案内軸４９のモジュール内に位置する基部側にも雄ネジ部５９が形成されており、該雄ネジ部５９には蝶ナット６１が螺合している。弁体５１は弁作用を担う外テーパ状のフランジ部６３と、案内軸４９に摺接する案内スリーブ６５とによって構成されている。
付勢手段５３は一例として圧縮コイルバネによって構成されており、蝶ナット６１側に設けられるスリーブ状のバネ受部６７と上記弁体５１との間に圧縮された状態で設けられている。レギュレータ４０は圧縮コイルバネの弾性力と雄ネジ部５９の長さを所定の値にして、後述する弁体５１が開くモジュール内の圧力を０．７気圧以下に設定できないように規制している。従って、弁体５１が開くモジュール内の圧力を０．７気圧以下に誤って設定するのを完全に防止することができる。
また、後面パネル９には、直径１〜２ｍｍ程度の図示しない通気穴が形成されている。
【００２９】
後面パネル９は前面パネル７と同様に中央が幾分外方に突出するように球面状に湾曲した正面視縦長楕円形状の部材である。後面パネル９には前面パネル７における前面開口２１のような開口部は設けられていない。
後面パネル９の内壁面中央の上部にはコントローラ６９が設けられている。コントローラ６９の蓋部には運転、停止のスイッチ７１、運転時や緊急時に点灯するランプ７３および停電時に点灯するランプ７５、ブザー７６、後述する室内照明８９を点灯、消灯するための照明スイッチ７２等が設けられている。
後面パネル９の外壁面上部にはモジュール内の気圧を計測、表示する圧力計９７が設けられている。
【００３０】
この他、後面パネル９の下部には電源端子７７とホースジョイント７９が設けられている。このうち電源端子７７は外部から電源をモジュール内に取り込むための電源コード８１と接続される端子であり、上記ホースジョイント７９は外部に設けられる真空ポンプ８３から延びるエアホース８５を取り付けるための継手部材である。
エアホース８５の途中には逆止弁８７が設けられており、ホースジョイント７９からモジュール内へのエアの流入を防止している。
また、後面パネル９の下部にはメタルコンセント８０が設けられ、このメタルコンセント８０には電源コード８１が接続されている。このメタルコンセント８０はモジュール内に配置される電気コード（図示せず）を介してコントローラ６９に接続されている。
【００３１】
側天面パネル１１は左右対称の２つの側天面パネル１１によって構成されており、天面には室内照明８９が設けられている。
床面パネル１３は上面がフラットな床面、下面が開放された殻部材によって構成されており、開放された下面側には必要に応じて図示しない補強枠や脚部が設けられている。
またコントローラ６９のボックス内には停電時に使用する緊急用のバッテリー９５等を常備しておくことも可能である。
【００３２】
そしてこのようにして構成される気圧調整モジュール１内には運動機能を向上させるための各種のトレーニングマシンやベッド等を持ち込むことが可能であり、これらのトレーニングマシン等を使用して以下述べる手順により気圧調整モジュール１による低圧雰囲気下でのトレーニングを実行する。
以下、（１）気圧調整モジュールの設置、（２）トレーニングの実行、（３）緊急時の措置、（４）気圧調整モジュールの撤去に分けて本実施の形態に係る気圧調整モジュール１の組立、操作、分解の手順について説明する。
【００３３】
（１）気圧調整モジュールの設置
前面パネル７、後面パネル９、二枚の側天面パネル１１及び床面パネル１３を分解した状態で設置スペースに運ぶ。この際、部屋の入口からの搬入が困難な場合にはクレーン等によって上記モジュール要素３を吊り上げ、ベランダ等の窓部から部屋の中に搬入する。
最初に床面パネル１３を部屋の所定の位置に設置する。次にモジュール内に設置するトレーニングマシン等を床面パネル１３上に設置し、前面パネル７、後面パネル９及び二枚の側天面パネル１１をボルト、ナット等を使用して連結し、床面パネル１３上に組み上げて行く。
【００３４】
すべてのモジュール要素３が連結され気圧調整モジュール１が組み上がった後、電源端子７７及びメタルコンセント８０に電源コード８１を接続し、ホースジョイント７９にエアホース８５を接続する。
そしてモジュール内にトレーニングマシン等の機器類を設置し、該機器類の電源プラグをモジュール内の図示しない電源コンセントに差し込み、安全ノブ３７を閉塞状態にしてモジュール外に設けられる真空ポンプ８３を含めて各種機器類を運転開始可能な状態とする。
【００３５】
（２）トレーニングの実行
次にドア５を開け、使用者は前面開口２１から気圧調整モジュール１内に入り、ドア５を再び閉めてコントローラ６９の蓋部に設けられている運転開始用のスイッチ７１を押して真空ポンプ８３を起動し、気圧調整モジュール１内のエアを少しずつ吸引して行く。これにより気圧調整モジュール１内のエアは真空ポンプ８３の吸引力によってホースジョイント７９から少しずつ吸引され、これによって生ずるモジュール内外の気圧差によってレギュレータ４０の弁体５１を付勢手段５３の付勢力に抗して摺動させ、取込み口４１から流入するエアの流量との均り合いによって気圧調整モジュール１内の雰囲気を所定の低圧雰囲気下に保つように調整する。
そして使用者はトレーニングマシン等を使用して運動機能の向上等を目的とするトレーニングを開始し、所定の時間トレーニングを実行する。
【００３６】
（３）緊急時の措置
運転中、モジュール内の気圧に異常が生じたような場合にはコントローラ６９の蓋部に設けられている緊急用のランプ７３が点灯し、ブザー７６が鳴って使用者に異常の発生を知らせる。使用者は運転停止用のスイッチ７１を押すことによって真空ポンプ８３の作動を停止させると共に安全ノブ３７をモジュール内から所定の方向に回してモジュール内の気圧を大気圧に戻し、ドア５を拡開してモジュール外に出る。
【００３７】
また異常の発生は緊急警告灯３９によってモジュール外にいる人にも告知され、異常を知った人は真空ポンプ８３の作動を外部設置スイッチにより停止させると共に安全ノブ３７をモジュール外から所定の方向に回してモジュール内の気圧を大気圧に戻し、ハンドル３３を持ってドア５を拡開してモジュール内に存する使用者をモジュール外に出す。
後面パネル９には直径１〜２ｍｍ程度の通気穴が形成されているので、この通気穴を通り外部からエアがモジュール内へ流入する。従って、真空ポンプ８３が停止してから３時間程度でモジュール内の気圧が大気圧に戻るようになっている。気圧調整モジュール１の内部容積は約８ｍ3なので、大人１人が酸欠状態にならないで５〜６時間生存できる容積となっている。このため上記したように通気穴は３時間程度でモジュール内を大気圧に戻す大きさに設定している。
【００３８】
（４）気圧調整モジュールの撤去
設置した気圧調整モジュール１を別の場所に運んで設置し直す場合や、気圧調整モジュール１を長時間使用しないような場合には気圧調整モジュール１を撤去する。
この場合には上記（１）気圧調整モジュールの設置の場合と逆の手順により、ボルト、ナット等を緩めて取り外し、前面パネル７、後面パネル９、二枚の側天面パネル１１及び床面パネル１３に分解する。
そして次の設置場所に運んで気圧調整モジュール１を組み立てて設置し直すから、収納場所に運んで収納し次の使用に備える。
【００３９】
以上、本発明を実施するための最良の形態の一例である実施の形態１について詳述してきたが、具体的な構成は上述した構成に限られるものではなく、本発明の要旨を逸脱しない範囲内における設計の変更などがあっても本発明に含まれる。例えば、本発明の気圧調整モジュール１はモジュール内の気圧を大気圧よりも高めた高圧雰囲気として使用することも可能である。
【００４０】
この場合には、ドア５の取付構造を図１０（ｂ）に示すように前面パネル７の内側にドア５が存在するように改変し、ドア５を拡開方向に付勢する付勢手段２５として、図示のような捩りコイルバネ９３を一例として使用する。
またモジュール外に設けられる真空ポンプ８３に代えて図示しない高圧ポンプを使用し、レギュレータ４０の取付位置を逆にしてモジュール内から出ようとするエアの流量を抑制するように弁体５１を作用させる。
【００４１】
また、上記実施の形態１では、モジュール要素３に補強リブ１５を設けることによってモジュールの構造強化を図っているが、本発明はこれに限定されず実施の形態２にかかる気圧調整モジュールのように、補強リブ１５を設けずにモジュール要素を多層構造とすることによって構造強化を図ってもよい。即ち、図１２に示すように、３枚の殻部材１７と、これらの殻部材１７の間に備えられる介装材としてのアクリル系の発泡材１８とによってモジュール要素３を構成してもよい。なお、上記のように殻部材１７と発泡材１８を合計５層としているが、本発明はこれに限定されず殻部材１７が２層（２枚）、発泡材１層の、合計３層以上であれば何層であってもよい。また、発泡材はアクリル系のものに限定されず、ウレタン系、塩化ビニール系等、他の合成樹脂を用いることも可能である。
なお、実施の形態２にかかる気圧調整モジュールの上記した以外の構造は、実施の形態１にかかる気圧調整モジュール１と同様である。
【産業上の利用可能性】
【００４２】
本発明は、例えば運動選手用のトレーニング設備器具の製造、使用分野等で利用でき、特に実際に高地に行ったのと同じガス組成雰囲気下でトレーニングをし、運動機能の向上等を図りたい場合に利用できる。
【図面の簡単な説明】
【００４３】
【図１】本発明の実施の形態１に係る気圧調整モジュールの内部を透視して示す斜視図である。
【図２】本発明の実施の形態１に係る気圧調整モジュールを分解した状態を示す斜視図である。
【図３】本発明の実施の形態１に係る気圧調整モジュールを示す正面図である。
【図４】本発明の実施の形態１に係る気圧調整モジュールを示す側面図である。
【図５】本発明の実施の形態１に係る気圧調整モジュールを示す背面図である。
【図６】本発明の実施の形態１に係る気圧調整モジュールを示す図４中のＡ−Ａ断面図である。
【図７】本発明の実施の形態１に係る気圧調整モジュールを示す図４中のＢ−Ｂ断面図である。
【図８】本発明の実施の形態１に係る気圧調整モジュールを示す図６中のＣ部の拡大断面図である。
【図９】本発明の実施の形態１に係る気圧調整モジュールを示す図３中のｄ−ｄ断面図である。
【図１０】前面パネルに取り付けられる低圧雰囲気下でのドアの取付構造（ａ）と、高圧雰囲気下でのドアの取付構造（ｂ）を示す横断面図である。
【図１１】レギュレータの構造を示す側断面図である。
【図１２】本発明の実施の形態２に係る気圧調整モジュールの実施の形態１の図８に対応する図である。
【符号の説明】
【００４４】
１  気圧調整モジュール              ３  モジュール要素
５  ドア                            ７  前面パネル
９  後面パネル                    １１  側天面パネル
１３  床面パネル                    １５  補強リブ
１７  殻部材                        １８  アクリル系の発泡材
１９  補強枠                        ２１  前面開口
２３  回動ヒンジ                    ２５  付勢手段
２７  板バネ                        ２９  シールパッキン
３１  窓部                          ３３  ハンドル
３５  運転ランプ                    ３７  安全ノブ
３９  緊急警告灯                    ４０  レギュレータ
４１  取込み口                      ４３  本体
４５  フランジ部                    ４７  内方端面
４９  案内軸                        ５１  弁体
５３  付勢手段                      ５５  雌ネジ部
５７  通気穴                        ５９  雄ネジ部
６１  蝶ナット                      ６３  フランジ部
６５  案内スリーブ                  ６７  バネ受部
６９  コントローラ                  ７１  スイッチ
７２  照明スイッチ                    ７３、７５  ランプ
７６  ブザー                        ７７  電源端子
７９  ホースジョイント              ８０  メタルコンセント
８１  電源コード                    ８３  真空ポンプ
８５  エアホース                    ８７  逆止弁
８９  室内照明                      ９３  捩りコイルバネ
９５  バッテリー                    ９７  圧力計
Ｗ  幅寸法                          Ｄ  奥行寸法
Ｈ  高さ寸法
【図１】
2007044194.tif 000003
【図２】
2007044194.tif 000004
【図３】
2007044194.tif 000005
【図４】
2007044194.tif 000006
【図５】
2007044194.tif 000007
【図６】
2007044194.tif 000008
【図７】
2007044194.tif 000009
【図８】
2007044194.tif 000010
【図９】
2007044194.tif 000011
【図１０】
2007044194.tif 000012
【図１１】
2007044194.tif 000013
【図１２】
2007044194.tif 000014